(57)【要約】【課題】ユーザの意図しないコンテンツの切替を抑制できる受信装置を提供する。【解決手段】同一コンテンツ判定部１０９は、Ｌ−ＥＩＴ抽出部１０４で抽出されたＬ−ＥＩＴおよびＨ−ＥＩＴ抽出部１０６で抽出されたＨ−ＥＩＴのそれぞれに挿入された短形式イベント記述子から現在放送している番組の番組名についての文字列を読み込んで比較する。文字列が一致した場合には部分受信向けのコンテンツと固定受信向けのコンテンツとが同一の番組であると判定し、文字列が一致しなかった場合には部分受信向けのコンテンツと固定受信向けのコンテンツとが同一の番組ではないと判定する。切替制御部１１０は、受信状態が変化した場合には、部分受信向けのコンテンツと固定受信向けのコンテンツとが同一の番組であると同一コンテンツ判定部１０９で判断された場合に限り、切替部１０８から出力するコンテンツ信号を切り替えるように、切替部１０８を制御する。【選択図】図１
2008034931.tif 000002
【特許請求の範囲】
【請求項１】
地上デジタル放送の放送波を受信する受信手段と、
前記受信手段で受信した前記放送波から固定受信向けのコンテンツに関する情報および部分受信向けのコンテンツに関する情報を取得する情報取得手段と、
固定受信向けのコンテンツを提示するか部分受信向けのコンテンツを提示するかを切り替える切替手段と、
前記情報取得手段で取得した前記固定受信向けのコンテンツに関する情報および部分受信向けのコンテンツに関する情報に基づいて、前記切替手段における提示コンテンツの切り替えを制御する制御手段とを備えることを特徴とする受信装置。
【請求項２】
請求項1に記載の受信装置において、
前記制御手段は、前記情報取得手段で取得した前記固定受信向けのコンテンツに関する情報および部分受信向けのコンテンツに関する情報に基づいて、固定受信向けのコンテンツと部分受信向けのコンテンツとが同一内容であるか否か判断し、固定受信向けのコンテンツと部分受信向けのコンテンツとが同一内容であると判断されたときには、前記切替手段における提示コンテンツの切り替えを許可し、固定受信向けのコンテンツと部分受信向けのコンテンツとが同一内容でないと判断されたときには、前記切替手段における提示コンテンツの切り替えを禁止することを特徴とする受信装置。
【請求項３】
請求項1に記載の受信装置において、
前記制御手段は、前記情報取得手段で取得した前記固定受信向けのコンテンツに関する情報および部分受信向けのコンテンツに関する情報に基づいて、固定受信向けのコンテンツと部分受信向けのコンテンツとが同一内容であるか否か判断し、固定受信向けのコンテンツと部分受信向けのコンテンツとが同一内容でないと判断されたときには、ユーザの切替意図に応じて前記切替手段における提示コンテンツの切り替えを許可または禁止することを特徴とする受信装置。
【請求項４】
請求項1に記載の受信装置において、
前記制御手段は、前記情報取得手段で取得した前記固定受信向けのコンテンツに関する情報および部分受信向けのコンテンツに関する情報に基づいて、固定受信向けのコンテンツと部分受信向けのコンテンツとが同一内容であるか否か判断し、固定受信向けのコンテンツと部分受信向けのコンテンツとが同一内容であると判断されたときには、ユーザの切替意図に応じて前記切替手段における提示コンテンツの切り替えを許可または禁止することを特徴とする受信装置。
【請求項５】
請求項３または請求項４に記載の受信装置において、
前記ユーザの切替意図は、あらかじめユーザが入力した設定内容、または、問い合わせに応じてユーザが入力した入力内容であることを特徴とする受信装置。
【請求項６】
請求項１〜５のいずれか一項に記載の受信装置において、
前記情報取得手段は、番組名、番組の開始時刻、番組の継続時間の少なくともいずれか一つを前記固定受信向けのコンテンツに関する情報および部分受信向けのコンテンツに関する情報として取得することを特徴とする受信装置。
【発明の詳細な説明】
【技術分野】
【０００１】
本発明は、地上デジタル放送の受信装置に関する。
【背景技術】
【０００２】
固定受信向けのコンテンツおよび部分受信向けのコンテンツを切り替えて視聴できる地上デジタル放送の受信装置が知られている。この受信装置では、受信品質に基づいて固定受信向けのコンテンツおよび部分受信向けのコンテンツを切り替えて提示している（特許文献１参照）。
【０００３】
【特許文献１】特開２００５−２２３５４９号公報
【発明の開示】
【発明が解決しようとする課題】
【０００４】
しかし、従来の受信装置では、受信品質、すなわち受信状態が変化すると、番組の内容にかかわらずコンテンツを切り替えるので、固定受信向けのコンテンツと部分受信向けのコンテンツとで番組が異なっている場合には、ユーザの意図とは異なる番組が表示されてしまう。
【課題を解決するための手段】
【０００５】
（１）  請求項１の発明による受信装置は、地上デジタル放送の放送波を受信する受信手段と、受信手段で受信した放送波から固定受信向けのコンテンツに関する情報および部分受信向けのコンテンツに関する情報を取得する情報取得手段と、固定受信向けのコンテンツを提示するか部分受信向けのコンテンツを提示するかを切り替える切替手段と、情報取得手段で取得した固定受信向けのコンテンツに関する情報および部分受信向けのコンテンツに関する情報に基づいて、切替手段における提示コンテンツの切り替えを制御する制御手段とを備えることを特徴とする。
（２）  請求項２の発明は、請求項1に記載の受信装置において、制御手段は、情報取得手段で取得した固定受信向けのコンテンツに関する情報および部分受信向けのコンテンツに関する情報に基づいて、固定受信向けのコンテンツと部分受信向けのコンテンツとが同一内容であるか否か判断し、固定受信向けのコンテンツと部分受信向けのコンテンツとが同一内容であると判断されたときには、切替手段における提示コンテンツの切り替えを許可し、固定受信向けのコンテンツと部分受信向けのコンテンツとが同一内容でないと判断されたときには、切替手段における提示コンテンツの切り替えを禁止することを特徴とする。
（３）  請求項３の発明は、請求項1に記載の受信装置において、制御手段は、情報取得手段で取得した固定受信向けのコンテンツに関する情報および部分受信向けのコンテンツに関する情報に基づいて、固定受信向けのコンテンツと部分受信向けのコンテンツとが同一内容であるか否か判断し、固定受信向けのコンテンツと部分受信向けのコンテンツとが同一内容でないと判断されたときには、ユーザの切替意図に応じて切替手段における提示コンテンツの切り替えを許可または禁止することを特徴とする。
（４）  請求項４の発明は、請求項1に記載の受信装置において、制御手段は、情報取得手段で取得した固定受信向けのコンテンツに関する情報および部分受信向けのコンテンツに関する情報に基づいて、固定受信向けのコンテンツと部分受信向けのコンテンツとが同一内容であるか否か判断し、固定受信向けのコンテンツと部分受信向けのコンテンツとが同一内容であると判断されたときには、ユーザの切替意図に応じて切替手段における提示コンテンツの切り替えを許可または禁止することを特徴とする。
（５）  請求項５の発明は、請求項３または請求項４に記載の受信装置において、ユーザの切替意図は、あらかじめユーザが入力した設定内容、または、問い合わせに応じてユーザが入力した入力内容であることを特徴とする。
（６）  請求項６の発明は、請求項１〜５のいずれか一項に記載の受信装置において、情報取得手段は、番組名、番組の開始時刻、番組の継続時間の少なくともいずれか一つを固定受信向けのコンテンツに関する情報および部分受信向けのコンテンツに関する情報として取得することを特徴とする。
【発明の効果】
【０００６】
本発明によれば、ユーザの意図しないコンテンツの切替を抑制できる。
【発明を実施するための最良の形態】
【０００７】
−−−第１の実施の形態−−−
図１〜３を参照して、本発明による受信装置の第１の実施の形態を説明する。図１は、本実施の形態の受信装置の全体構成を示す図である。受信装置１は、ＩＳＤＢ−Ｔ規格に対応した地上デジタル放送の放送波を受信して、表示モニタやスピーカで視聴可能な映像信号や音声信号を出力する装置である。なお、図１では、後述する切替部１０８より後段の構成の記載を省略している。
【０００８】
受信装置１には、チューナ１０１と、ＯＦＤＭ復調／伝送路復号部１０２と、分離部１０３と、Ｌ−ＥＩＴ抽出部１０４と、部分受信向けコンテンツ復号部１０５と、Ｈ−ＥＩＴ抽出部１０６と、固定受信向けコンテンツ復号部１０７と、切替部１０８と、同一コンテンツ判定部１０９と、切替制御部１１０とが設けられている。
【０００９】
チューナ１０１にはアンテナ５が接続されている。アンテナ５から入力された放送波は、チューナ１０１で選局された後、ＯＦＤＭ復調／伝送路復号部１０２へ送られ、復調および誤り訂正されて、トランスポートストリーム（ＴＳ）として分離部１０３へ出力される。なお、ＯＦＤＭ復調／伝送路復号部１０２では、ＴＳのビットエラーレート（ＢＥＲ）と、受信信号のＳ／Ｎ比とを切替制御部１１０へ出力する。分離部１０３は、ＴＳに含まれるパケット識別子（ＰＩＤ）を参照して、ＴＳを部分受信向けのデータと、固定受信向けのデータとに分離する。
【００１０】
Ｌ−ＥＩＴ抽出部１０４は、分離部１０３で分離された部分受信向けのデータから、Ｌ−ＥＩＴを抽出して同一コンテンツ判定部１０９に出力する。なお、Ｌ−ＥＩＴは、部分受信向けのＥＩＴ（Event information Table）であり、部分受信向けのコンテンツに関する情報である番組の名称や放送日時、番組の継続時間などの情報を含んでいる。また、Ｌ−ＥＩＴ抽出部１０４は、分離部１０３で分離された部分受信向けのデータから、符号化された映像・音声データであるＭＰＥＧデータを分離して部分受信向けコンテンツ復号部１０５へ出力する。
【００１１】
部分受信向けコンテンツ復号部１０５は、Ｌ−ＥＩＴ抽出部１０４から出力されたＭＰＥＧデータを復調し、部分受信向けコンテンツの映像信号および音声信号を生成して、切替部１０８に出力する。以下の説明では、部分受信向けコンテンツの映像信号および音声信号を、単に部分受信向けコンテンツ信号と呼ぶ。
【００１２】
Ｈ−ＥＩＴ抽出部１０６は、分離部１０３で分離された固定受信向けのデータから、Ｈ−ＥＩＴを抽出して同一コンテンツ判定部１０９に出力する。なお、Ｈ−ＥＩＴは、固定受信向けのＥＩＴ（Event information Table）であり、固定受信向けのコンテンツに関する情報である番組の名称や放送日時、番組の継続時間などの情報を含んでいる。また、Ｈ−ＥＩＴ抽出部１０６は、分離部１０３で分離された固定受信向けのデータから、符号化された映像・音声データであるＭＰＥＧデータを分離して固定受信向けコンテンツ復号部１０７へ出力する。
【００１３】
固定受信向けコンテンツ復号部１０７は、Ｈ−ＥＩＴ抽出部１０６から出力されたＭＰＥＧデータを復調し、固定受信向けコンテンツの映像信号および音声信号を生成して、切替部１０８に出力する。以下の説明では、固定受信向けコンテンツの映像信号および音声信号を、単に固定受信向けコンテンツ信号と呼ぶ。また、部分受信向けコンテンツ信号および固定受信向けコンテンツ信号を単にコンテンツ信号とも呼ぶ。
【００１４】
切替部１０８は、切替制御部１１０からの制御信号に基づいて、部分受信向けコンテンツ信号および固定受信向けコンテンツ信号のいずれか一方を切替部１０８の後段へ出力する。すなわち、切替部１０８は、切替制御部１１０からの制御信号によって切替状態が制御される。
【００１５】
同一コンテンツ判定部１０９は、Ｌ−ＥＩＴ抽出部１０４で抽出されたＬ−ＥＩＴと、Ｈ−ＥＩＴ抽出部１０６で抽出されたＨ−ＥＩＴとに基づいて、後述するように、部分受信向けのコンテンツと固定受信向けのコンテンツとが同一の番組であるか否かを判定する。そして同一コンテンツ判定部１０９は、その判定結果を切替制御部１１０へ出力する。すなわち、同一コンテンツ判定部１０９は、部分受信向けのコンテンツと固定受信向けのコンテンツとが同一の番組であると判定すると、その旨を示す一致信号を切替制御部１１０へ出力する。また、同一コンテンツ判定部１０９は、部分受信向けのコンテンツと固定受信向けのコンテンツとが同一の番組でないと判定すると、その旨を示す不一致信号を切替制御部１１０へ出力する。
【００１６】
切替制御部１１０は、ＯＦＤＭ復調／伝送路復号部１０２から出力されたＢＥＲおよびＳ／Ｎ比と、同一コンテンツ判定部１０９から出力された制御信号（一致信号または不一致信号）とに基づいて、切替部１０８の切替状態を制御する制御信号を切替部１０８へ出力する。
【００１７】
このように構成される受信装置１では、不図示の電源スイッチがオンされると、ユーザが不図示のリモコンなどから入力して選局した放送局の放送波を受信して、部分受信向けのコンテンツか、固定受信向けのコンテンツのいずれかの映像信号および音声信号が不図示の表示モニタやスピーカに出力される。なお、部分受信向けコンテンツ信号および固定受信向けコンテンツ信号のいずれを切替部１０８から出力するかについては、次のようにして決定される。
【００１８】
−−−切替制御部１１０における切替制御−−−
受信装置１では、不図示の電源スイッチがオンされると、ＯＦＤＭ復調／伝送路復号部１０２から出力されたＢＥＲおよびＳ／Ｎ比に基づいて放送波の受信状態を切替制御部１１０で判定する。切替制御部１１０は、受信状態が良好であれば固定受信向けコンテンツ信号を切替部１０８から出力するように切替部１０８に制御信号（固定受信向けコンテンツ選択信号）を出力する。切替制御部１１０は、受信状態が良好でなければ部分受信向けコンテンツ信号を切替部１０８から出力するように切替部１０８に制御信号（部分受信向けコンテンツ選択信号）を出力する。その結果、視聴開始当初の受信状態が良好であれば、固定受信向けコンテンツ信号が切替部１０８から出力され、視聴開始当初の受信状態が良好でなければ、部分受信向けコンテンツ信号が切替部１０８から出力される。
【００１９】
当初良好であった受信状態が悪化すると、切替制御部１１０は、部分受信向けのコンテンツと固定受信向けのコンテンツとが同一の番組である場合に限って、切替部１０８から出力するコンテンツ信号を部分受信向けのコンテンツ信号に切り替えるように、切替部１０８を制御する。すなわち、切替制御部１１０は、受信状態が悪化したときに、同一コンテンツ判定部１０９からの一致信号が入力されると、切替部１０８に部分受信向けコンテンツ選択信号を出力する。その結果、受信状態が悪化して、切替部１０８から出力するコンテンツ信号が部分受信向けのコンテンツ信号に切り替えられても、その切り替えの前後でユーザに提供される番組の内容は変わらない。切替制御部１１０は、受信状態が悪化しても、同一コンテンツ判定部１０９からの不一致信号が入力されている場合には、切替部１０８に部分受信向けコンテンツ選択信号を出力しない。
【００２０】
当初良好でなかった受信状態が好転すると、切替制御部１１０は、部分受信向けのコンテンツと固定受信向けのコンテンツとが同一の番組である場合に限って、切替部１０８から出力するコンテンツ信号を固定受信向けのコンテンツ信号に切り替えるように、切替部１０８を制御する。すなわち、切替制御部１１０は、受信状態が好転したときに、同一コンテンツ判定部１０９からの一致信号が入力されると、切替部１０８に固定受信向けコンテンツ選択信号を出力する。その結果、受信状態が好転して、切替部１０８から出力するコンテンツ信号が固定受信向けのコンテンツ信号に切り替えられても、その切り替えの前後でユーザに提供される番組の内容は変わらない。切替制御部１１０は、受信状態が好転しても、同一コンテンツ判定部１０９からの不一致信号が入力されている場合には、切替部１０８に固定受信向けコンテンツ選択信号を出力しない。
【００２１】
なお、切替部１０８から出力するコンテンツ信号を上述したように一旦切り替えた後も、再び受信状態が変化した場合には、上述したのと同様の切替制御が行われる。
【００２２】
−−−同一コンテンツ判定部１０９における判定−−−
上述したように、同一コンテンツ判定部１０９は、Ｌ−ＥＩＴ抽出部１０４で抽出されたＬ−ＥＩＴと、Ｈ−ＥＩＴ抽出部１０６で抽出されたＨ−ＥＩＴとに基づいて、部分受信向けのコンテンツと固定受信向けのコンテンツとが同一の番組であるか否かを判定する。具体的には、次のようにして、部分受信向けのコンテンツと固定受信向けのコンテンツとが同一の番組であるか否かを判定する。
【００２３】
社団法人電波産業会（ＡＲＩＢ）が策定した地上デジタルテレビジョン放送運用規定（ＡＲＩＢ  ＴＲ−Ｂ１４）によれば、Ｌ−ＥＩＴおよびＨ−ＥＩＴには、複数の記述子が挿入されているが、短形式イベント記述子はＬ−ＥＩＴおよびＨ−ＥＩＴのいずれにも挿入されている。短形式イベント記述子は、現在放送している番組の番組名などの文字情報（文字列）を含んでいる。また、Ｌ−ＥＩＴおよびＨ−ＥＩＴは、番組の開始時刻、番組の継続時間などの情報を含んでいる。
【００２４】
同一コンテンツ判定部１０９は、Ｌ−ＥＩＴおよびＨ−ＥＩＴに挿入されたそれぞれの短形式イベント記述子から現在放送している番組の番組名についての文字列を読み込んで比較する。その結果、同一コンテンツ判定部１０９は、Ｌ−ＥＩＴとＨ−ＥＩＴとで現在放送している番組の番組名についての文字列が一致した場合には、部分受信向けのコンテンツと固定受信向けのコンテンツとが同一の番組であると判定する。また、同一コンテンツ判定部１０９は、Ｌ−ＥＩＴとＨ−ＥＩＴとで現在放送している番組の番組名についての文字列が一致しなかった場合には、部分受信向けのコンテンツと固定受信向けのコンテンツとが同一の番組ではない（異なる番組である）と判定する。
【００２５】
なお、部分受信向けのコンテンツと固定受信向けのコンテンツとが同一の番組であると判定する条件として、番組名についての双方の文字列が完全一致した場合に限らない。番組の同一性を担保できれば、たとえば番組名についての双方の文字列が部分一致した場合を含めて、部分受信向けのコンテンツと固定受信向けのコンテンツとが同一の番組であると判定してもよい。
【００２６】
−−−フローチャート−−−
図２は、同一コンテンツ判定部１０９における部分受信向けのコンテンツと固定受信向けコンテンツとが同一の番組であるか否かを判定するプログラムの動作を示すフローチャートである。不図示の電源スイッチがオンされると、図２に示す処理を行うプログラムが起動され、同一コンテンツ判定部１０９で実行される。ステップＳ１において、Ｌ−ＥＩＴ抽出部１０４からＬ−ＥＩＴを取得し、Ｈ−ＥＩＴ抽出部１０６からＨ−ＥＩＴを取得してステップＳ３へ進む。
【００２７】
ステップＳ３において、ステップＳ１で取得したＬ−ＥＩＴおよびＨ−ＥＩＴに挿入されたそれぞれの短形式イベント記述子から現在放送している番組の番組名についての文字列を比較してステップＳ５へ進む。ステップＳ５において、ステップＳ３で文字列を比較した結果、部分受信向けのコンテンツと固定受信向けのコンテンツとが同一の番組であるか否かを判断する。ステップＳ５が肯定判断されるとステップＳ７へ進み、一致信号を切替制御部１１０へ出力してリターンする。ステップＳ５が否定判断されるとステップＳ９へ進み、不一致信号を切替制御部１１０へ出力してリターンする。
【００２８】
図３は、切替制御部１１０における切替制御のプログラムの動作を示すフローチャートである。不図示の電源スイッチがオンされると、図３に示す処理を行うプログラムが起動され、切替制御部１１０で実行される。ステップＳ２１において、ＯＦＤＭ復調／伝送路復号部１０２からＢＥＲおよびＳ／Ｎ比を取得してステップＳ２３へ進む。ステップＳ２３において、ステップＳ２１で取得したＢＥＲおよびＳ／Ｎ比に基づいて、放送波の受信状態を判定してステップＳ２５へ進む。
【００２９】
ステップＳ２５において、ステップＳ２３で放送波の受信状態が良好であると判定されたか否かを判断する。ステップＳ２５が肯定判断されるとステップＳ３１へ進み、切替部１０８に固定受信向けコンテンツ選択信号を出力してステップＳ３３へ進む。ステップＳ３３において、ＯＦＤＭ復調／伝送路復号部１０２からＢＥＲおよびＳ／Ｎ比を再び取得して放送波の受信状態を判定し、受信状態が悪化するまで待機する。ステップＳ３３が肯定判断されるとステップ３５へ進み、同一コンテンツ判定部１０９からの一致信号が入力されているか否かを判断する。ステップＳ３５が否定判断されるとステップＳ３３へ戻る。
【００３０】
ステップＳ３５が肯定判断されるか、ステップＳ２５が否定判断されるとステップＳ５１へ進み、切替部１０８に部分受信向けコンテンツ選択信号を出力してステップＳ５３へ進む。ステップＳ５３において、ＯＦＤＭ復調／伝送路復号部１０２からＢＥＲおよびＳ／Ｎ比を再び取得して放送波の受信状態を判定し、受信状態が好転するまで待機する。ステップＳ５３が肯定判断されるとステップ５５へ進み、同一コンテンツ判定部１０９からの一致信号が入力されているか否かを判断する。ステップＳ５５が否定判断されるとステップＳ５３へ戻る。ステップＳ５５が肯定判断されるとステップＳ３１へ進む。
【００３１】
第１の実施の形態の受信装置１では、次の作用効果を奏する。
（１）  部分受信向けのデータおよび固定受信向けのデータのそれぞれから各コンテンツに関する情報を取得し、その情報に基づいて切替部１０８の切替状態を制御するように構成した。これにより、出力するコンテンツ信号の切り替えに際して、それぞれのコンテンツの内容が加味されるので、ユーザの意図しないコンテンツ信号の切替を抑制できる。
【００３２】
（２）  部分受信向けのコンテンツと固定受信向けのコンテンツとが同一の番組であると判断された場合にのみ、出力するコンテンツ信号の切り替えが行われるように構成した。これにより、コンテンツ信号の切り替えによって異なる内容の番組が提供されることを防止できるので、今まで視聴していた番組とは異なる番組が突然提示されることによるユーザの混乱を防止できる。
【００３３】
（３）  放送波の受信状態を判定して、受信状態が悪化または好転した場合であっても、部分受信向けのコンテンツと固定受信向けのコンテンツとが同一の番組であると判断された場合にのみ、出力するコンテンツ信号の切り替えが行われるように構成した。これにより、弱電界地域で受信状態が頻繁に変化する場合であっても、不必要なコンテンツ信号の切り替えを抑制できるので、視聴するユーザに煩わしさを感じさせることがない。特に、受信装置１を車載用途に用いて、弱電界地域を走行し、受信状態が頻繁に変化するような状況においてその効果は顕著である。
【００３４】
（４）  Ｌ−ＥＩＴおよびＨ−ＥＩＴに挿入されたそれぞれの短形式イベント記述子に含まれる、現在放送している番組の番組名についての文字列を比較することで、部分受信向けのコンテンツと固定受信向けのコンテンツとが同一の番組であるか否かを判断するように構成した。これにより、部分受信向けのコンテンツと固定受信向けのコンテンツとの間の番組の同一性を精度よく判定できるので、コンテンツ信号の切り替えによって異なる内容の番組が提供されることを効果的に防止できる。
【００３５】
−−−第２の実施の形態−−−
図４，５を参照して、本発明による受信装置の第２の実施の形態を説明する。以下の説明では、第１の実施の形態と同様の構成要素には対応する符号を付して相違点を主に説明する。特に説明しない点については、第１の実施の形態と同様である。図４は、本実施の形態の受信装置の全体構成を示す図である。受信装置１には、入力部１２０が設けられている。
【００３６】
本実施の形態の受信装置１では、部分受信向けのコンテンツと固定受信向けのコンテンツとが同一の番組であった場合に、放送波の受信状態が変化した際、切替部１０８から出力するコンテンツ信号を自動的に切り替えるか（一致時切替モード）、否か（一致時固定モード）をあらかじめ設定できる。また、本実施の形態の受信装置１では、部分受信向けのコンテンツと固定受信向けのコンテンツとが異なる番組であった場合に、放送波の受信状態が変化した際、切替部１０８から出力するコンテンツ信号を自動的に切り替えるか（相違時切替モード）、切り替えないか（相違時固定モード）、ユーザにコンテンツ信号の切替の可否を問い合わせるか（問い合わせモード）、のいずれかとなるようにあらかじめ設定できる。なお、これらの設定内容（設定モード）は、入力部１２０の操作によって入力されると、切替制御部１１０の不図示のメモリに記憶される。
【００３７】
−−−切替制御部１１０における切替制御−−−
受信装置１では、不図示の電源スイッチがオンされると、ＯＦＤＭ復調／伝送路復号部１０２から出力されたＢＥＲおよびＳ／Ｎ比に基づいて放送波の受信状態を切替制御部１１０で判定する。切替制御部１１０は、受信状態が良好であれば切替部１０８に固定受信向けコンテンツ選択信号を出力する。切替制御部１１０は、受信状態が良好でなければ切替部１０８に部分受信向けコンテンツ選択信号を出力する。その結果、視聴開始当初の受信状態が良好であれば、固定受信向けコンテンツ信号が切替部１０８から出力され、視聴開始当初の受信状態が良好でなければ、部分受信向けコンテンツ信号が切替部１０８から出力される。
【００３８】
当初良好であった受信状態が悪化すると、切替制御部１１０は、次のようにして切替部１０８を制御する。
（１−１）  当初良好であった受信状態が悪化した際、部分受信向けのコンテンツと固定受信向けのコンテンツとが同一の番組であれば、すなわち、同一コンテンツ判定部１０９から一致信号を受信していれば、切替制御部１１０は、不図示のメモリに格納された設定モードを読み出す。そして、切替制御部１１０は、一致時切替モードに設定されていると判断すると、切替部１０８に部分受信向けコンテンツ選択信号を出力し、一致時固定モードに設定されていると判断すると、切替部１０８に部分受信向けコンテンツ選択信号を出力しない。その結果、一致時切替モードに設定されていれば、切替部１０８から出力するコンテンツ信号が部分受信向けのコンテンツ信号に切り替えられるが、その切り替えの前後でユーザに提供される番組の内容は変わらない。また、一致時固定モードに設定されていれば、切替部１０８から出力するコンテンツ信号は固定受信向けのコンテンツ信号のままで変化がない。
【００３９】
（１−２）  当初良好であった受信状態が悪化した際、部分受信向けのコンテンツと固定受信向けのコンテンツとが異なる番組でれば、すなわち、同一コンテンツ判定部１０９から不一致信号を受信していれば、切替制御部１１０は、不図示のメモリに格納された設定モードを読み出す。そして、切替制御部１１０は、相違時切替モードに設定されていると判断すると、切替部１０８に部分受信向けコンテンツ選択信号を出力し、相違時固定モードに設定されていると判断すると、切替部１０８に部分受信向けコンテンツ選択信号を出力しない。その結果、相違時切替モードに設定されていれば、切替部１０８から出力するコンテンツ信号が部分受信向けのコンテンツ信号に切り替えられ、その切り替えの前後でユーザに提供される番組の内容は変化する。また、相違時固定モードに設定されていれば、切替部１０８から出力するコンテンツ信号は固定受信向けのコンテンツ信号のままで変化がない。
【００４０】
また、切替制御部１１０は、問い合わせモードに設定されていると判断すると、切替制御部１１０は、問い合わせメッセージを不図示の表示モニタに表示させるべく、表示制御部に信号を出力する。その結果、固定受信向けのコンテンツを表示する表示モニタの画面上に、部分受信向けのコンテンツに切り替えるか否かを問い合わせる旨が重畳表示される。ユーザによってコンテンツを切り替える旨の操作入力が入力部１２０からなされると、切替制御部１１０は、切替部１０８に部分受信向けコンテンツ選択信号を出力する。ユーザによってコンテンツを切り替えない旨の操作入力が入力部１２０からなされると、切替制御部１１０は、切替部１０８に部分受信向けコンテンツ選択信号を出力しない。
【００４１】
当初良好でなかった受信状態が好転した場合も、上述の場合と同様に、切替制御部１１０は切替部１０８を制御する。すなわち、当初良好でなかった受信状態が好転すると、切替制御部１１０は、次のようにして切替部１０８を制御する。
【００４２】
（２−１）  当初良好でなかった受信状態が好転した際、同一コンテンツ判定部１０９から一致信号を受信していれば、切替制御部１１０は、不図示のメモリに格納された設定モードを読み出す。そして、切替制御部１１０は、一致時切替モードに設定されていると判断すると、切替部１０８に固定受信向けコンテンツ選択信号を出力し、一致時固定モードに設定されていると判断すると、切替部１０８に固定受信向けコンテンツ選択信号を出力しない。その結果、一致時切替モードに設定されていれば、切替部１０８から出力するコンテンツ信号が固定受信向けのコンテンツ信号に切り替えられるが、その切り替えの前後でユーザに提供される番組の内容は変わらない。また、一致時固定モードに設定されていれば、切替部１０８から出力するコンテンツ信号は部分受信向けのコンテンツ信号のままで変化がない。
【００４３】
（２−２）  当初良好でなかった受信状態が好転した際、同一コンテンツ判定部１０９から不一致信号を受信していれば、切替制御部１１０は、不図示のメモリに格納された設定モードを読み出す。そして、切替制御部１１０は、相違時切替モードに設定されていると判断すると、切替部１０８に固定受信向けコンテンツ選択信号を出力し、相違時固定モードに設定されていると判断すると、切替部１０８に固定受信向けコンテンツ選択信号を出力しない。その結果、相違時切替モードに設定されていれば、切替部１０８から出力するコンテンツ信号が固定受信向けのコンテンツ信号に切り替えられ、その切り替えの前後でユーザに提供される番組の内容は変化する。また、相違時固定モードに設定されていれば、切替部１０８から出力するコンテンツ信号は部分受信向けのコンテンツ信号のままで変化がない。
【００４４】
また、切替制御部１１０は、問い合わせモードに設定されていると判断すると、切替制御部１１０は、問い合わせメッセージを不図示の表示モニタに表示させるべく、表示制御部に信号を出力する。その結果、部分受信向けのコンテンツを表示する表示モニタの画面上に、固定受信向けのコンテンツに切り替えるか否かを問い合わせる旨が重畳表示される。ユーザによってコンテンツを切り替える旨の操作入力が入力部１２０からなされると、切替制御部１１０は、切替部１０８に固定受信向けコンテンツ選択信号を出力する。ユーザによってコンテンツを切り替えない旨の操作入力が入力部１２０からなされると、切替制御部１１０は、切替部１０８に固定受信向けコンテンツ選択信号を出力しない。
【００４５】
−−−フローチャート−−−
図５は、切替制御部１１０における切替制御のプログラムの動作を示すフローチャートである。不図示の電源スイッチがオンされると、図５に示す処理を行うプログラムが起動され、切替制御部１１０で実行される。ステップＳ２１からステップＳ３５まで、および、ステップＳ５１からステップＳ５５までは、第１の実施の形態と同内容であるので説明を省略する。
【００４６】
ステップＳ３５が肯定判断されるとステップＳ６１へ進み、不図示のメモリに記憶された設定モードが一致時切替モードであるか一致時固定モードであるかを判断する。ステップＳ６１で一致時切替モードであると判断されるとステップＳ５１へ進む。ステップＳ６１で一致時固定モードであると判断されるとステップＳ５３へ進む。
【００４７】
ステップＳ３５が否定判断されるとステップＳ６３へ進み、不図示のメモリに記憶された設定モードが相違時切替モードであるか、相違時固定モードであるか、問い合わせモードであるかを判断する。ステップＳ６３で相違時切替モードであると判断されるとステップＳ５１へ進む。ステップＳ６３で相違時固定モードであると判断されるとステップＳ５３へ進む。
【００４８】
ステップＳ６３で問い合わせモードであると判断されるとステップＳ６５へ進み、問い合わせメッセージを不図示の表示モニタに表示させるべく、表示制御部に信号を出力してステップＳ６７へ進む。ステップＳ６７において、入力部１２０から操作入力されるまで待機する。ステップＳ６７が肯定判断されるとステップＳ６９へ進み、ステップＳ６７で入力された操作内容が、コンテンツを切り替える旨の操作内容であるか否かを判断する。ステップＳ６９が肯定判断されるとステップＳ５１へ進む。ステップＳ６９が否定判断されるとステップＳ５３へ進む。
【００４９】
ステップＳ５５が肯定判断されるとステップＳ８１へ進み、不図示のメモリに記憶された設定モードが一致時切替モードであるか一致時固定モードであるかを判断する。ステップＳ８１で一致時切替モードであると判断されるとステップＳ３１へ進む。ステップＳ８１で一致時固定モードであると判断されるとステップＳ３３へ進む。
【００５０】
ステップＳ５５が否定判断されるとステップＳ８３へ進み、不図示のメモリに記憶された設定モードが相違時切替モードであるか、相違時固定モードであるか、問い合わせモードであるかを判断する。ステップＳ８３で相違時切替モードであると判断されるとステップＳ３１へ進む。ステップＳ８３で相違時固定モードであると判断されるとステップＳ３３へ進む。
【００５１】
ステップＳ８３で問い合わせモードであると判断されるとステップＳ８５へ進み、問い合わせメッセージを不図示の表示モニタに表示させるべく、表示制御部に信号を出力してステップＳ８７へ進む。ステップＳ８７において、入力部１２０から操作入力されるまで待機する。ステップＳ８７が肯定判断されるとステップＳ８９へ進み、ステップＳ８７で入力された操作内容が、コンテンツを切り替える旨の操作内容であるか否かを判断する。ステップＳ８９が肯定判断されるとステップＳ３１へ進む。ステップＳ８９が否定判断されるとステップＳ３３へ進む。
【００５２】
第２の実施の形態の受信装置１では、第１の実施の形態の作用効果に加えて次の作用効果を奏する。
（１）  放送波の受信状態が変化した際に、部分受信向けのコンテンツと固定受信向けのコンテンツとを切り替えるか否かについて、ユーザの切替意図を反映できるように構成した。これにより、切替部１０８から出力するコンテンツ信号の切り替えにユーザの意図を反映させることができ、コンテンツ信号の切り替えに際して、番組視聴中のユーザにほとんど違和感を与えることがない。
【００５３】
（２）  放送波の受信状態が変化した際に切替部１０８から出力するコンテンツ信号をどのように切り替えるかを設定する設定モードをあらかじめ設定できるように構成した。これにより、番組視聴中のユーザに対する操作要求を最小限に留めることができ、ユーザに煩わしさを感じさせない。
【００５４】
（３）  設定モードとして一致時切替モードと一致時固定モードとを設けたので、部分受信向けのコンテンツと固定受信向けのコンテンツとが同一の番組であって、放送波の受信状態が変化した際に、切替部１０８から出力するコンテンツ信号を自動的に切り替えるか否かを設定できる。これにより、一致時固定モードが選択された場合には、弱電界地域で受信状態が頻繁に変化する場合であっても、不必要なコンテンツ信号の切り替えを抑制できるので、視聴するユーザに煩わしさを感じさせることがない。また一致時切替モードが選択された場合には、高画質の映像の鑑賞を優先しつつ、受信状態悪化によって画像にブロックノイズなどのノイズが現れたり、表示画像が一時停止したりするなどの不具合を抑制できる。
【００５５】
（４）  設定モードとして相違時切替モードと相違時固定モードとを設けたので、部分受信向けのコンテンツと固定受信向けのコンテンツとが異なる番組であって、放送波の受信状態が変化した際に、切替部１０８から出力するコンテンツ信号を自動的に切り替えるか否かを設定できる。これにより、相違時固定モードが選択された場合には、コンテンツ信号の切り替えによって異なる内容の番組が提供されることを防止できるので、今まで視聴していた番組とは異なる番組が突然提示されることによるユーザの混乱を防止できる。また、相違時切替モードが設定された場合には、番組の同一性よりも乱れのない映像の提示を優先できる。
【００５６】
（５）  設定モードとして問い合わせモードを設けたので、部分受信向けのコンテンツと固定受信向けのコンテンツとが異なる番組であって、放送波の受信状態が変化した際に、切替部１０８から出力するコンテンツ信号を切り替えるか否かをユーザがその都度決定できる。したがって、その時々に応じたユーザの意図を確実に反映できる。たとえば、ユーザが視聴している番組が終了した後、部分受信向けのコンテンツと固定受信向けのコンテンツとが異なる番組となってしまった場合に、部分受信向けまたは固定受信向けのコンテンツのいずれを視聴するかをユーザが選択できるので、利便性が高い。
【００５７】
−−−変形例−−−
（１）  上述の説明では、ある１つの放送局から固定受信向けに同時に複数のコンテンツが提供されている場合については特に言及していないが、固定受信向けの複数のコンテンツのそれぞれについてＨ−ＥＩＴを取得して、上述したようにＬ−ＥＩＴと比較するようにしてもよい。そして、切替部１０８から出力するコンテンツ信号を部分受信向けコンテンツ信号から固定受信向けコンテンツ信号に切り替える場合、部分受信向けのコンテンツと同一の番組と判断される固定受信向けのコンテンツ信号を切替部１０８から出力するように構成してもよい。また、切替部１０８から出力するコンテンツ信号を固定受信向けコンテンツ信号から部分受信向けコンテンツ信号に切り替える場合、すでに視聴されている固定受信向けコンテンツと部分受信向けコンテンツとが同一の番組と判断される場合にのみ、切替部１０８から出力するコンテンツ信号を部分受信向けコンテンツ信号に切り替えるように構成してもよい。
【００５８】
（２）  上述した第２の実施の形態では、問い合わせモードが設定されている場合、ユーザがコンテンツを切り替えない旨を希望する場合であっても、入力部１２０からの操作入力を要求するように構成したが、本発明はこれに限定されない。たとえば、問い合わせメッセージを表示モニタに表示させた後、入力部１２０からの操作入力がされることなく一定時間が経過した場合には、コンテンツを切り替えない旨の操作入力が入力部１２０からなされた場合と同様に処理するようにしてもよい。
【００５９】
（３）  上述した第２の実施の形態では、表示モニタの画面上に、問い合わせメッセージを重畳表示するように構成しているが、本発明はこれに限定されない。たとえば、図６に示すように、固定受信向け（または部分受信向け）のコンテンツを表示する表示モニタの画面上に、問い合わせメッセージ２０１のほか、部分受信向け（または固定受信向け）のコンテンツの映像２０２を重畳表示させるように構成してもよい。これにより、ユーザが、映像２０２を見ることでコンテンツを切り替えた後の番組内容が推測できるので、コンテンツの切り替え判断が容易となる。
【００６０】
（４）  上述の説明では、受信装置１の用途を特に限定していないが、たとえば、受信装置１を家庭用の受像器に限らず、携帯情報端末や車載情報端末に適用してもよい。特に、移動に伴って受信状態が頻繁に、かつ、大きく変動する携帯情報端末や車載情報端末に本発明を適用した場合には、その効果は顕著である。
（５）  上述した各実施の形態および変形例は、それぞれ組み合わせてもよい。
【００６１】
以上の実施の形態およびその変形例において、たとえば、受信手段はチューナ１０１に、情報取得手段はＬ−ＥＩＴ抽出部１０４およびＨ−ＥＩＴ抽出部１０６に、切替手段は切替部１０８にそれぞれ対応する。制御手段は同一コンテンツ判定部１０９と切替制御部１１０とによって実現される。なお、以上の説明はあくまで一例であり、発明を解釈する際、上記の実施形態の記載事項と特許請求の範囲の記載事項の対応関係になんら限定も拘束もされない。
【００６２】
また、本発明は、上述した実施の形態のものに何ら限定されず、地上デジタル放送の放送波を受信する受信手段と、受信手段で受信した放送波から固定受信向けのコンテンツに関する情報および部分受信向けのコンテンツに関する情報を取得する情報取得手段と、固定受信向けのコンテンツを提示するか部分受信向けのコンテンツを提示するかを切り替える切替手段と、情報取得手段で取得した固定受信向けのコンテンツに関する情報および部分受信向けのコンテンツに関する情報に基づいて、切替手段における提示コンテンツの切り替えを制御する制御手段とを備える各種構造の受信装置を含むものである。
【図面の簡単な説明】
【００６３】
【図１】第１の実施の形態の受信装置１の全体構成を示す図である。
【図２】同一コンテンツ判定部１０９における部分受信向けのコンテンツと固定受信向けコンテンツとが同一の番組であるか否かを判定するプログラムの動作を示すフローチャートである。
【図３】切替制御部１１０における切替制御のプログラムの動作を示すフローチャートである。
【図４】第２の実施の形態の受信装置の全体構成を示す図である。
【図５】切替制御部１１０における切替制御のプログラムの動作を示すフローチャートである。
【図６】変形例を示す図である。
【符号の説明】
【００６４】
１  受信装置                                  ５  アンテナ
１０１  チューナ                              １０４  Ｌ−ＥＩＴ抽出部
１０６  Ｈ−ＥＩＴ抽出部                      １０８  切替部
１０９  同一コンテンツ判定部                  １１０  切替制御部
【図１】
2008034931.tif 000003
【図２】
2008034931.tif 000004
【図３】
2008034931.tif 000005
【図４】
2008034931.tif 000006
【図５】
2008034931.tif 000007
【図６】
2008034931.tif 000008